【手続補正書】
【提出日】平成23年6月22日(2011.6.22)
【手続補正１】
【補正対象書類名】特許請求の範囲
【補正対象項目名】請求項１
【補正方法】変更
【補正の内容】
【請求項１】
第１のメモリと、時間を計測する第１のタイミング発生部と、送信期間において第１の周波数で情報要求信号を送信する第１の送信部と、前記第１の周波数と異なる第２の周波数で応答信号を受信し、非送信期間における第１の所定期間に前記第１の周波数のＲＦ信号をキャリア・センスする第１の受信部と、前記非送信期間において前記第１の送信部の送信を中断させ、前記第１の受信部によって前記第１の所定期間に前記第１の周波数のＲＦ信号のキャリアが検出されたとき、前記非送信期間を継続して第１の所定の休止期間の後の第２の所定期間に前記第１の周波数のＲＦ信号をキャリア・センスして検知するよう前記第１の受信部を動作させる第１の制御部と、を具える読取り書込み装置と、
識別情報を格納する第２のメモリと、時間を計測する第２のタイミング発生部と、バッテリと、前記第１の周波数のＲＦ信号を所定の時間間隔で発生する第３の所定期間にキャリア・センスして検知するよう動作し、前記第１の周波数のＲＦ信号のキャリアを検出したときにさらに前記情報要求信号を受信し、前記情報要求信号の受信に応答して第４の所定期間に前記第２の周波数のＲＦ信号をキャリア・センスするよう構成された第２の受信部と、前記第２の受信部によって前記第３の所定期間に前記第１の周波数のＲＦ信号のキャリアが検出されなかったとき、前記所定の時間間隔より短い第２の所定の休止期間の後の第５の所定期間に前記第１の周波数のＲＦ信号をキャリア・センスして検知するよう前記第２の受信部を動作させ、前記第２の受信部によって前記第４の所定期間に前記第２の周波数のＲＦ信号のキャリアが検出されたとき、前記所定の時間間隔より短い第３の所定の休止期間の後の第６の所定期間に前記第２の周波数のＲＦ信号をキャリア・センスして検知するよう前記第２の受信部を動作させる第２の制御部と、前記第２の受信部によって前記第２の周波数のＲＦ信号のキャリアが検出されなかったとき前記第２の周波数で前記応答信号を送信する第２の送信部と、を具える情報記憶装置と、
を含む、情報アクセス・システム。
【手続補正２】
【補正対象書類名】明細書
【補正対象項目名】００３１
【補正方法】変更
【補正の内容】
【００３１】
リーダ／ライタ装置３０２は、制御部３１０と、メモリ３１４と、データ生成部３２２と、送信部（ＴＸ）３３０と、受信部（ＲＸ）３５０と、データ復号部３４２と、キャリア判定部３４６と、タイミング発生部３６０と、送信アンテナ（ＡＮＴ）３８２と、受信アンテナ（ＡＮＴ）３８４と、を具えている。
【手続補正３】
【補正対象書類名】明細書
【補正対象項目名】００４３
【補正方法】変更
【補正の内容】
【００４３】
送信休止期間４１において、送信部３３０は、周波数ｆ１のＲＦ信号の送信を中断し、受信部３５０は所定の休止期間Ｄｒｗｃｓ（例えば、１００ｍｓ）経過後に例えば約１ｍｓ〜１０ｍｓの所定の持続時間で発生するキャリア・センス４４の時間期間に送信周波数ｆ１でキャリア・センスを行う。
【手続補正４】
【補正対象書類名】明細書
【補正対象項目名】００５２
【補正方法】変更
【補正の内容】
【００５２】
データ生成部２２２は、メモリ２１４から取り出したタグＩＤ（ＩＤ＿ｔａｇ）、時刻Ｔ、システムＩＤ（ＩＤ＿ｓｙｓｔｅｍ）等の所要の情報を含むデータを暗号化し、その暗号データを符号化する。その他の所要の情報には、例えば、パッケージ内の商品の内容、個数および状態、発送者、移動、経由地および宛先、等に関する情報が含まれていてもよい。送信部２３０はその符号化されたタグＩＤを含む応答データでキャリアを変調してＲＦ信号を送信する。
【手続補正５】
【補正対象書類名】明細書
【補正対象項目名】００６５
【補正方法】変更
【補正の内容】
【００６５】
ステップ４１２において、制御部３１０は、その判定結果に従ってキャリアが検出されたかどうかを判定する。キャリアが検出されたと判定された場合は、ステップ４１３において、制御部３１０は、受信部３５０中の送信周波数ｆ１のＲＦ信号の受信部およびキャリア判定部３４６をディセーブルする。
【手続補正６】
【補正対象書類名】明細書
【補正対象項目名】００６６
【補正方法】変更
【補正の内容】
【００６６】
ステップ４１４において、制御部３１０は、周期期間Ｃｔｘが経過したかどうかを判定する。周期期間が経過していないと判定された場合は、周期期間が経過するまでステップ４１４が繰り返される。それによって、周期期間Ｃｔｘの残りの期間においてデータ生成部３２２および送信部３３０の動作が休止する。周期期間Ｃｔｘが経過したと判定された場合は、手順はステップ４０４に戻る。それによって、リーダ／ライタ装置３０２の動作の次の周期期間Ｃｔｘが開始する。
【手続補正７】
【補正対象書類名】明細書
【補正対象項目名】００６７
【補正方法】変更
【補正の内容】
【００６７】
ステップ４１２においてキャリアが検出されなかったと判定された場合は、制御部３１０は、ステップ４１５において、制御部３１０は、周期期間Ｃｔｘが経過したかどうかを判定する。周期期間Ｃｔｘが経過したと判定された場合は、手順はステップ４０４に戻る。それによって、リーダ／ライタ装置３０２の動作の次の周期期間Ｃｔｘが開始する。
【手続補正８】
【補正対象書類名】明細書
【補正対象項目名】００７１
【補正方法】変更
【補正の内容】
【００７１】
ステップ４１８において制御部３１０はデータ送信を終了すべきかどうかを判定する。終了すると判定された場合は、手順はこのルーチンを出る。データ送信を継続すると判定された場合は、手順はステップ４１５に戻る。図２Ａでは、データ送信は繰り返し継続される。
【手続補正９】
【補正対象書類名】明細書
【補正対象項目名】０１１３
【補正方法】変更
【補正の内容】
【０１１３】
その後、制御部２１０は、ＲＦ ＩＤタグ２０４を次のキャリア・センス期間５０まで休止期間５１に移行させる。上述の受信周波数ｆ１の受信部およびキャリア判定部２４６は、ウェイクアップ部２７４のウェイクアップ信号に従ってキャリア・センス周期Ｔｃｓで発生する次のキャリア・センス５０の時間期間に、制御部２１０によってイネーブルされる。
【手続補正１０】
【補正対象書類名】明細書
【補正対象項目名】０１２１
【補正方法】変更
【補正の内容】
【０１２１】
キャリア・センス５０相互間の期間５１において、ＲＦ ＩＤタグ２０４は休止モードに入って、制御部２１０およびタイミング発生部２６０だけがイネーブルまたはパワー・オンされており、その他の構成要素２１４〜２５０はディセーブルまたはパワー・ダウンされている。
【手続補正１１】
【補正対象書類名】明細書
【補正対象項目名】０１２２
【補正方法】変更
【補正の内容】
【０１２２】
図６Ｂを参照すると、リーダ／ライタ装置３０２の受信部３５０は、常に受信待ち状態４６にあり、ＲＦ ＩＤタグ２０４が接近してＲＦ信号を受信した場合に、受信処理４８の時間期間において受信ＲＦ信号を復調して符号化された暗号データを生成する。
【手続補正１２】
【補正対象書類名】明細書
【補正対象項目名】０１２４
【補正方法】変更
【補正の内容】
【０１２４】
その受信再生された応答に応答して、制御部３１０は、その応答に含まれている時刻ＴおよびシステムＩＤを用いてＲＦ ＩＤタグ２０４を認証し、そのタグＩＤをホスト・コンピュータに供給する。
【手続補正１３】
【補正対象書類名】明細書
【補正対象項目名】０１３４
【補正方法】変更
【補正の内容】
【０１３４】
図８は、図５のＲＦ ＩＤタグ２０４の変形形態であり、本発明の別の実施形態による、アクティブ型非接触情報記憶装置としてのアクティブ型ＲＦ ＩＤタグ２０６の構成を示している。図９は、図１のリーダ／ライタ装置３０２の変形形態であり、本発明のその実施形態による、リーダ／ライタ装置３０４の構成を示している。
【手続補正１４】
【補正対象書類名】明細書
【補正対象項目名】０１４１
【補正方法】変更
【補正の内容】
【０１４１】
カウンタ３９６は、周期期間Ｃｔｘにおいて、先の送信周波数（ｆ１）のキャリア・センス４４と、後続のそれぞれの休止期間Ｄｒｗｃｓに続く送信周波数のキャリア・センス４５とにおける送信周波数キャリア不検出の回数ＣＴ＿ＣＳ、または送信周波数キャリア不検出による休止期間Ｄｒｗｃｓの発生回数ＣＴ＿ＣＳを計数する。リーダ／ライタ装置３０４のその他の構成はリーダ／ライタ装置３０２のものと同様である。
【手続補正１５】
【補正対象書類名】明細書
【補正対象項目名】０１４４
【補正方法】変更
【補正の内容】
【０１４４】
送信休止期間４１の休止時間Ｄｒｗｃｓにおいて、送信部３３０は、周波数ｆ１のＲＦ信号の送信を中断する。送信休止期間４１におけるその休止時間Ｄｒｗｃｓ経過後のキャリア・センス期間４４において、受信部３５０中の周波数ｆ１の受信部およびキャリア判定部３４６は、送信周波数ｆ１でキャリア・センスを行う。キャリアが検出された（ＤＴ）場合は、制御部３１０は、周期期間Ｃｔｘにおいて送信休止期間４１を継続し、休止時間Ｄｒｗｃｓを繰り返す。その休止時間Ｄｒｗｃｓ経過後のキャリア・センス期間４５において、受信部３５０の周波数ｆ１の受信部およびキャリア判定部３４６は、再び送信周波数ｆ１でキャリア・センスを行う。周期期間Ｃｔｘにおいてキャリアが検出されなくなるまで休止時間Ｄｗｒｃｓおよびキャリア・センス期間４５を最大でＮＴＨ−ＲＣＳ回（例えば、３回）になるまで繰り返す。それによって、リーダ／ライタ装置３０４によるコマンドの送信の期間をより長く多く確保し、ＲＦ ＩＤタグ２０６によるキャリア検出の確率をより高くすることができる。
【手続補正１６】
【補正対象書類名】明細書
【補正対象項目名】０１４８
【補正方法】変更
【補正の内容】
【０１４８】
受信周波数ｆ１のキャリアが存在しない（ＮＤ）と判定された場合は、受信部２５０およびキャリア判定部２４６は、後続の休止期間Ｄｒｃｓにおいて制御部２１０によってディセーブルされ、ＲＦ ＩＤタグ２０６は休止モードに入る。休止時間Ｄｒｃｓの後、受信部２５０中の受信周波数ｆ１の受信部およびキャリア判定部２４６は、所定の持続時間で発生するキャリア・センス５２の時間期間に制御部２１０によってイネーブルされる。それによって、受信部２５０（受信周波数ｆ１の受信部）は受信待ち状態になり、キャリア判定部２４６は受信周波数ｆ１の受信キャリアの有無の判定を行う。
【手続補正１７】
【補正対象書類名】明細書
【補正対象項目名】０１５０
【補正方法】変更
【補正の内容】
【０１５０】
受信部２５０がリーダ／ライタ装置３０４からのＲＦ信号を受信した場合、キャリア判定部２４６は、キャリア・センス５２の時間期間にＲＦ信号のキャリアを検出し（ＤＴ）、キャリアが存在すると判定する。
【手続補正１８】
【補正対象書類名】明細書
【補正対象項目名】０１６１
【補正方法】変更
【補正の内容】
【０１６１】
図１１を参照すると、ステップ４０５において、制御部３１０は、図３のステップ４０４と同様に周期期間タイマ３７４を初期化して長い動作の周期期間Ｃｔｘを設定し、さらにカウンタ３９６の計数値ＣＴ＿ＣＳを初期化して０に設定する。ステップ４０６〜４１３は図３のものと同様である。